(57)【要約】      （修正有）【課題】シンプルで、洗浄しやすく、且つ操作もシンプルで効率が高く、収納ボックス、ツールの交換により、異なるサイズ、容量の食材を賽の目に切る処理を実現することができ、家庭又はプロのシェフの要求を十分に満足できるダイサーを提供する。【解決手段】ダイサーは、組み立て式の主装置１とカップ本体２を含み、カップ本体の中にダイサーモジュールが取り付けられ、ダイサーモジュールは収納ボックス３、回転台４を有し、収納ボックスはカップ本体の中に取り外し可能に取り付けられ、収納ボックスとカップ本体の底部に収納スペース２２が形成され、且つ収納ボックスに濾過孔３０が設けられ、回転台のツール５は収納ボックスの中に設けられ、さらに、回転台は、主装置の出力軸１００と伝動可能に接続され、収納ボックスの中でのツールの回転を制御する。【選択図】図２
0003209431.tif 000002
【実用新案登録請求の範囲】
【請求項１】
組み立て式の主装置とカップ本体を含み、
前記カップ本体の中にダイサーモジュールが取り付けられ、
前記ダイサーモジュールは収納ボックス、回転台を有し、
前記収納ボックスは前記カップ本体の中に取り外し可能に取り付けられ、
前記収納ボックスと前記カップ本体の底部に収納スペースが形成され、且つ前記収納ボックスに濾過孔が設けられ、前記回転台のツールは前記収納ボックスの中に設けられ、
さらに、前記回転台は、前記主装置の出力軸と伝動可能に接続され、前記収納ボックスの中での前記ツールの回転を制御する、ことを特徴とするダイサー。
【請求項２】
前記カップ本体に中空スリーブが設けられ、前記主装置の出力軸は前記中空スリーブに貫通して設けられ、
前記収納ボックスの底部には、前記中空スリーブと対応する中空連結スリーブが設けられ、
前記回転台の下端の接続軸は、前記中空連結スリーブを貫通して前記出力軸と伝動可能に接続され、
前記ツールは前記回転台の上端に設けられる、ことを特徴とする請求項１に記載のダイサー。
【請求項３】
前記回転台の前記接続軸と前記出力軸とは、取り外し可能に装着される、ことを特徴とする請求項２に記載のダイサー。
【請求項４】
前記カップ本体の上部に前記収納ボックスと対応するカバーが設けられ、前記カバーに投入口が設けられる、ことを特徴とする請求項１に記載のダイサー。
【請求項５】
前記カップ本体の外側にハンドルが設けられる、ことを特徴とする請求項１に記載のダイサー。
【考案の詳細な説明】
【技術分野】
【０００１】
本考案は家庭用のキッチン用電気器具分野に関する。
【背景技術】
【０００２】
社会の高速な発展とともに、人々の生活もますます豊富になり、生活の品質に対する追求もますます高くなった。過程で各種類の美食を作る時には、賽の目に切った食材を使うことは多い。例えば賽の目に切ったニンジン、玉ねぎ、キュウリ等である。如何にして必要な賽の目の食材を得るか。現在市場で汎用されている肉挽き器では、食材が挽きつぶされる過程で分離されず、下に沈殿する食材はつぶされて泥になり、上に浮かぶ食材はスライス状になり、必要な賽の目の食材を得ることができない。このため食材を賽の目に切ることができる家電が現在緊急に必要とされている。
【考案の概要】
【考案が解決しようとする課題】
【０００３】
本考案が解決しようとする課題は、食材を賽の目に切ることができる電気器具を提供することである。
【課題を解決するための手段】
【０００４】
本考案がその課題を解決するために用いる技術手段は、ダイサーであって、組み立て式の主装置とカップ本体を含み、前記カップ本体の中にダイサーモジュールが取り付けられ、前記ダイサーモジュールは収納ボックス、回転台を有し、前記収納ボックスは前記カップ本体の中に取り外し可能に取り付けられ、前記収納ボックスと前記カップ本体の底部に収納スペースが形成され、且つ前記収納ボックスに濾過孔が設けられ、前記回転台のツールは前記収納ボックスの中に設けられ、さらに、前記回転台は、前記主装置の出力軸と伝動可能に接続され、前記収納ボックスの中での前記ツールの回転を制御する。
【０００５】
前記ダイサーにおいて、前記カップ本体に中空スリーブが設けられ、前記主装置の出力軸は前記中空スリーブに貫通して設けられ、前記収納ボックスの底部には、前記中空スリーブと対応する中空連結スリーブが設けられ、前記回転台の下端の接続軸は、前記中空連結スリーブを貫通して前記出力軸と伝動可能に接続され、前記ツールは前記回転台の上端に設けられる。
【０００６】
前記ダイサーにおいて、前記回転台の前記接続軸と前記出力軸とは、取り外し可能に装着される。
【０００７】
前記ダイサーにおいて、前記カップ本体の上部に前記収納ボックスと対応するカバーが設けられ、前記カバーに投入口が設けられる。
【０００８】
前記ダイサーにおいて、前記カップ本体の外側にハンドルが設けられる。
【考案の効果】
【０００９】
本考案の技術手段を実施することは、少なくとも以下の有益な効果を有する
ダイサーの組み立て式の構造はシンプルで、洗浄しやすく、処理しようとする食材を収納ボックスに入れ、主装置を起動してツールを回転させて食材を切り、一定のサイズに切った食材は濾過孔を貫通して収納スペースに落ち、ここまでにおいてダイサー操作が完成する。肉挽き器より、ダイサーは更に好適に食材を賽の目に切ることができる。
【図面の簡単な説明】
【００１０】
下記は図面及び実施例を結合して本考案をより詳細に説明する。
【図１】本実用新案の案内図である。
【図２】本実用新案の内部断面図である。
【図３】本実用新案の回転台と収納ボックスの取り付け案内図である。
【図４】本実用新案の回転台と収納ボックスの底部の取り付け案内図である。
【図５】本実用新案の回転台と主装置の出力軸との接続案内図である。
【考案を実施するための形態】
【００１１】
本考案の技術特徴、目的と効果をより明確に理解するように、図面を対照して本考案の具体的な実施手段を詳細に説明する。
【００１２】
図１−５に示されるダイサーは、組み立て式の主装置１とカップ本体２を含み、前記カップ本体２の中にダイサーモジュールが取り付けられ、前記ダイサーモジュールは収納ボックス３、回転台４を有し、前記収納ボックス３は前記カップ本体２の中に取り外し可能に取り付けられ、前記収納ボックス３と前記カップ本体２の底部に収納スペース２２が形成され、且つ前記収納ボックス３に濾過孔３０が設けられ、前記回転台４のツール５は前記収納ボックス３の中に設けられ、さらに、前記回転台４は、前記主装置１の出力軸１００と伝動可能に接続され、前記収納ボックス３の中での前記ツール５の回転を制御する。食材を賽の目に切る際に食材が収納ボックス３から抛り出されることを防止するために、カップ本体２の上部にそれと対応するカバー２１が設けられ、カバー２１に投入口２１０が設けられ、処理しようとする食材を投入口２１０を経由して収納ボックス３の中に入れる。
【００１３】
食材を収納ボックス３に入れる前に、処理し易くするために、通常事前に食材を大きめに切る。主装置１を起動した後、主装置１の出力軸１００は駆動モータの回転運動を回転台４に伝達し、回転台４のツール５は収納ボックス３の中で回転して食材を切る。一定のサイズに切った時、食材は収納ボックス３の濾過孔３０からカップ本体２の収納スペース２２に落ち、これにより賽の目の食材を得ることができ、過度な切断又は撹拌により食材をみじん切りにすることはない。図面に示すように、収納ボックス３はカップ本体２の中に装着され、それにより取り外し操作を実現しやすく、異なるサイズとタイプの収納ボックス３を交換しやすい。例えば収納ボックス３の濾過孔３０のサイズが異なる場合、異なるサイズの賽の目の食材を得ることができ、シェフが食材を細かく分類処理することに便利である。又は、異なる高さとサイズの収納ボックス３を交換することにより、収納ボックス３の容量とサイズが異なり、異なる量の食材を同時に処理することができる。
【００１４】
ある実施例では、カップ本体２に中空スリーブが設けられ、前記主装置１の出力軸１００は前記中空スリーブに貫通して設けられ、前記収納ボックス３の底部には、前記中空スリーブと対応する中空連結スリーブ３１が設けられ、前記回転台４の下端の接続軸４００は、前記中空連結スリーブ３１を貫通して前記出力軸１００と伝動可能に接続され、前記ツール５は前記回転台４の上端に設けられる。出力軸１００を経由して接続軸４００と直接に連結され、且つ両者は中空スリーブの中に隠されて連結され、実現がし易いものであり、また、構造の配置が合理的で、構造が占めるスペースを効果的に削減する。
【００１５】
回転台４の前記接続軸４００と前記出力軸１００とは、取り外し可能に装着される。回転台４は取り外し可能であるため、交換、整備しやすい。例えば、ユーザは自分のニーズに応じて、異なる数量のツールを有する又はツール間の距離が異なるダイサーに交換することで、食材に対し更に良いダイサー操作を実現することができる。通常、機器や賽の目に切った食材を取り易くするために、カップ本体２の外側に対応するハンドル２０が設けられる。
【００１６】
前記は本考案に関する好ましい実施例だけであるが、本考案を制限しない。本分野の技術者に対して、本考案を各種類に変更、組み合わせ及び変化してもよい。本考案の精神と原則以内に属するいずれかの変更、同等な交換、改善等は、全部本考案の権利請求範囲以内に含まれるべきである。
【符号の説明】
【００１７】
１…主装置、
１００…出力軸、
２…カップ本体、
２０…ハンドル、 
２１…カバー、
２１０…投入口、
２２…収納スペース、
３…収納ボックス、
３０…濾過孔、
３１…中空連結スリーブ、
４…回転台、
４００…接続軸、
５…ツール。
【図１】
0003209431.tif 000003
【図２】
0003209431.tif 000004
【図３】
0003209431.tif 000005
【図４】
0003209431.tif 000006
【図５】
0003209431.tif 000007